(57)【要約】  【課題】部品点数を最小限に抑えて安価に構成することができ、しかも安定した保持状態を容易に得ることができるようにした新規有用な展示物の保持具を提供する。  【解決手段】紙素材からなる基台Ｈ１の一部を切り起こして複数の押さえＨ２を設け、これらの押さえＨ２と基台Ｈ１との間に板状の展示物Ｄを保持する保持領域Ｈ３を形成したものである。特に、矩形状をなす展示物Ｄに対して、第１の押さえ１により展示物Ｄの隣接する２つのコーナー部Ｄ１、Ｄ２において各々のコーナー部Ｄ１、Ｄ２の直交２辺Ｄａ、Ｄｂをそれぞれ押さえ、第２の押さえ２により展示物Ｄの残り２つのコーナー部Ｄ３、Ｄ４において各々のコーナー部Ｄ３、Ｄ４の直交２辺をそれぞれ押さえるように構成した。  【選択図】図１
0003106253.tif 000002
【実用新案登録請求の範囲】
【請求項１】
紙素材からなる基台の一部を切り起こして複数の押さえを設け、これらの押さえと前記基台との間に板状の展示物を保持する保持領域を形成したことを特徴とする展示物の保持具。
【請求項２】
押さえが、展示物を基台に沿って所定方向に移動させた際に所定位置でそれ以上の移動を基台からの離反動作とともに規制する第１の押さえと、前記所定位置にある展示物が前記所定方向と逆方向に前記第１の押さえとの係合を解除するまで移動することを基台からの離反動作とともに規制する第２の押さえとを具備していることを特徴とする請求項１記載の展示物の保持具。
【請求項３】
第１の押さえは、切り起こした状態で展示物を基台に沿って所定方向に移動させることにより当該展示物の移動側に位置する第１縁部及び当該展示物の前面の所定部位に係合するアングル状のものであり、第２の押さえは、第１の押さえによって展示物が係合された位置で切り起こされることにより当該展示物の前記第１縁部と対向する第２縁部及び当該展示物の前面の所定部位に係合するアングル状のものであることを特徴とする請求項２記載の展示物の保持具。
【請求項４】
展示物が矩形板状のものであって、第１の押さえが展示物の隣接する２つのコーナー部において各々のコーナー部の第１縁部に相当する直交２辺をそれぞれ押さえるものであり、第２の押さえが当該展示物の残り２つのコーナー部において各々のコーナー部の第２縁部に相当する直交２辺をそれぞれ押さえるものであることを特徴とする請求項３記載の展示物の保持具。
【請求項５】
展示物を略鉛直姿勢で保持するものであって、第１の押さえが展示物の下縁側を支持し、第２の押さえが展示物の上縁側を支持するものであり、第１の押さえに比して第２の押さえを相対的に小さいものにしていることを特徴とする請求項２〜４記載の展示物の保持具。
【請求項６】
基台から切り起こされる部位に補強紙を貼着していることを特徴とする請求項１〜５記載の展示物の保持具。
【請求項７】
展示物が色紙であることを特徴とする請求項１〜６記載の展示物の保持具。
【請求項８】
基台が掛け軸であることを特徴とする請求項７記載の展示物の保持具。
【考案の詳細な説明】
【技術分野】
【０００１】
本考案は、安価に構成できて色紙などの展示物を的確に保持できる展示物の保持具に関するものである。
【背景技術】
【０００２】
例えば、色紙のような板状の展示物を展示する用具として、基台に透明シートを袋状に貼り付けた保持具が考えられている。この保持具は、基台のうち、展示物を収容する部位に色紙大の透明シートを、上下縁をテープなどで止着するなどして配設し、透明シートと基台との間に側方から展示物を挿入して保持する保持領域を形成するようにしている。
【考案の開示】
【考案が解決しようとする課題】
【０００３】
ところが、このような展示物の保持具は、展示物の移動を規制するために、基台のほかに、ビニールなどの透明シート、テープなどの止着具などの多種の規制部品を必要とするため、コストダウンの追求に一定の限界があるだけでなく、止着作業も煩わしく、作業ミスにより汚損等の原因となることも拭えないものである。
【０００４】
本考案は、このような実情に鑑みてなされたものであって、部品点数を極力最小限に抑えて廉価に構成することができ、しかも安定した保持状態を容易に得ることができる新規有用な展示物の保持具を提供することを目的としている。
【課題を解決するための手段】
【０００５】
本考案は、上記の目的を達成するために、次のような手段を講じたものである。
【０００６】
すなわち、本考案に係る展示物の保持具は、紙素材からなる基台の一部を切り起こして複数の押さえを設け、これらの押さえと前記基台との間に板状の展示物を保持する保持領域を形成したものである。
【０００７】
このようなものであると、基台及びそこから切り起こされる押さえが紙素材で構成されて、別途に展示物の移動を規制する規制部材を用いる必要がないため、部品点数が少なく安価に構成できる上に、接着等を要しないため作業が簡単で外観を毀損する要因等も排除することができる。
【０００８】
安定した保持状態を容易に実現するためには、押さえが、展示物を基台に沿って所定方向に移動させた際に所定位置でそれ以上の移動を基台からの離反動作とともに規制する第１の押さえと、前記所定位置にある展示物が前記所定方向と逆方向に前記第１の押さえとの係合を解除するまで移動することを基台からの離反動作とともに規制する第２の押さえとを具備していることが望ましい。
【０００９】
具体的な実施の態様として、第１の押さえが、切り起こした状態で展示物を基台に沿って所定方向に移動させることにより当該展示物の移動側に位置する第１縁部及び当該展示物の前面の所定部位に係合するアングル状のものであり、第２の押さえが、第１の押さえによって展示物が係合された位置で切り起こされることにより当該展示物の前記第１縁部と対向する第２縁部及び当該展示物の前面の所定部位に係合するアングル状のものである保持具が挙げられる。
【００１０】
展示物が矩形板状のものである場合には、第１の押さえが展示物の隣接する２つのコーナー部において各々のコーナー部の第１縁部に相当する直交２辺をそれぞれ押さえ、第２の押さえが当該展示物の残り２つのコーナー部において各々のコーナー部の第２縁部に相当する直交２辺をそれぞれ押さえるものであることが好ましい。
【００１１】
展示物を略鉛直姿勢に保持するものであって、第１の押さえが展示物の下縁側を支持し、第２の押さえが展示物の上縁側を支持するものである場合は、第１の押さえに比して第２の押さえを相対的に小さいものにしていることが好適である。
【００１２】
押さえの強度を無理なく有効に高めるためには、基台から切り起こされる部位に補強紙を貼着していることが有効である。
【００１３】
本考案は、以上のような構成であるから、展示物が色紙である場合や、基台が掛け軸である場合に極めて有用なものとなり得る。
【考案の効果】
【００１４】
本考案は、以上を通じて、部品点数を極力最小限に抑えて安価に構成することができ、しかも安定した保持状態を容易に得ることができる新規有用な展示物の保持具を提供することが可能となる。
【考案を実施するための最良の形態】
【００１５】
以下、本考案の一実施形態を、図面を参照して説明する。
【００１６】
本実施形態に係る展示物Ｄの保持具Ｈは、図１に示すような色紙の如き薄板状の展示物Ｄを、掛け軸のような基台Ｈ１に略鉛直に保持させるようにしたものであり、当該基台Ｈ１を紙素材から構成するとともにその一部を切り起こして複数の押さえＨ２を設け、これらの押さえＨ２と前記基台Ｈ１との間に板状の展示物Ｄを保持する保持領域Ｈ３を形成したものである。図２は図１から展示物Ｄを省略した状態を示すものであり、図３はその拡大図であり、図４は切り起こし前の基台Ｈ１を示す図である。
【００１７】
これらに基づいて説明すると、基台Ｈ１は、三つ折りできるように上下方向に折罫Ｈ１ａ、Ｈ１ｂを介して３つの略正方形の領域を連ねた形状をなすもので、上縁に床の間等に掛止するためのフック孔Ｈ１１が設けてあり、中央の領域に展示領域Ｈ１２を形成するものである。当該展示物Ｄの下縁側を押さえる第１の押さえ１は、展示物Ｄの左下コーナー部Ｄ１及び右下コーナー部Ｄ２の各々に対応する部位が斜めに設定した折罫１ａを介して基台Ｈ１より切り起こされる。すなわち、かかる折罫１ａを下底とする台形の残り３辺を基台Ｈ１から分離させることにより切り起こして、前記折罫１ａにおいて略９０°谷折りし、この折罫１ａよりも上底側に設定した折罫１ｂにおいて更に略９０°山折りすることによって、立片１１及び押さえ片１２からなるアングル状をなす第１の押さえ１を構成している。立片１１は切り起こす際に中央部において前記台形と略相似な台形の３辺が抜かれ、展示物Ｄのコーナー部Ｄ１、Ｄ２を挿入する挿入窓１３を形成している。
【００１８】
一方、展示物Ｄの上縁側を押さえる第２の押さえ２は、展示物Ｄの左上コーナー部Ｄ３及び右上コーナー部Ｄ４の各々に対応した部位が斜めに設定した折罫２ａを介して基台Ｈ１より切り起こされる。すなわち、かかる折罫２ａを下底とする下向きの台形の残り３辺を基台Ｈ１から分離させることにより切り起こして、前記折罫２ａにおいて略９０°谷折りし、この折罫２ａよりも上底側に設定した折罫２ｂにおいて更に略９０°山折りすることによって、立片２１及び押さえ片２２からなるアングル状をなす第２の押さえ２を構成している。立片２１は切り起こす際に中央部において前記台形と略相似な台形の３辺が抜かれ、展示物Ｄのコーナー部Ｄ３、Ｄ４を挿入する挿入窓２３を形成している。
【００１９】
その際、第１の押さえ１と第２の押さえ２とを比較した場合、後者の折罫２ａ、２ｂは前者の折罫１ａ、１ｂよりも短く、後者の上底及び下底は前者の上底及び下底よりも短く、後者の挿入窓２３は前者の挿入窓１３よりも小さく設定されている。但し、立片１１、２１の起立高さは、何れも展示物Ｄの厚み寸法に略対応させて互いに略同寸となるように設定されている。
【００２０】
すなわち、基台Ｈ１の右側面である図５に示すように、第１の押さえ１は、展示物Ｄを基台Ｈ１に沿って当該基台Ｈ１の上縁から下縁に向かう図中矢印の方向に移動させた際に、展示物Ｄの左下コーナー部Ｄ１及び右下コーナー部Ｄ２が立片１１の挿入窓１３にそれぞれ挿入されて本考案の第１縁部に相当する直交２辺Ｄａが挿入窓１３の開口縁に当接した所定位置でそれ以上の移動が立片１１によって規制され、かつ展示物Ｄの基台Ｈ１からの厚み方向への離反動作が押さえ片１２によって規制されることとなる。また、第２の押さえ２は、第１の押さえ１によって展示物Ｄが係合された後、その所定位置にある展示物Ｄに対して切り起こされることにより、展示物Ｄの左上コーナー部Ｄ３及び右上コーナー部Ｄ４が立片２１の挿入窓２３にそれぞれ挿入されて本考案の第２縁部に相当する直交２辺Ｄｂが挿入窓２３の開口縁に当接した状態で、前記所定位置にある展示物Ｄが前記所定方向と逆方向に移動することが立片２１によって規制され、かつ展示物Ｄの基台Ｈ１からの厚み方向への離反動作が押さえ片２２によって規制されることとなる。
【００２１】
図４において基台Ｈ１から分離するために必要な切断線１ｃ、２ｃは、市場に供する段階で既に付与しておくか、或いはミシン目を形成しておいてもよい。勿論、コストダウンを追求すれば、この切断作業のみをユーザーに委ねることを妨げるものではない。
【００２２】
以上のようにして、本実施形態に係る展示物Ｄの保持具Ｈは、紙素材からなる基台Ｈ１の一部を切り起こして複数の押さえＨ２を設け、これらの押さえＨ２と前記基台Ｈ１との間に板状の展示物Ｄを保持する保持領域Ｈ３を形成したものである。
【００２３】
このようなものであると、基台Ｈ１及びそこから切り起こされる押さえＨ２が紙素材で構成されて、別途に展示物Ｄの移動を規制する規制部材を用いる必要がない。このため、部品点数を極力少なくして安価に構成することができる上に、接着等を要しないため組立作業が簡単で組立時に外観を毀損する要因等も有効に排除することができる。
【００２４】
また、押さえＨ２が、展示物Ｄを基台Ｈ１に沿って所定方向に移動させた際に所定位置でそれ以上の移動を基台Ｈ１からの離反動作とともに規制する第１の押さえ１と、前記所定位置にある展示物Ｄが前記所定方向と逆方向に前記第１の押さえ１との係合を解除するまで移動することを基台Ｈ１からの離反動作とともに規制する第２の押さえ２とを具備しているため、所謂けんどん方式のものに比べて、展示物Ｄをより安定的に保持することが可能になる。
【００２５】
すなわち、切り起こしにより押さえを構成しようとする場合、けんどん方式を採用することも可能であるが、本考案においてこのようなけんどん方式を採用しないのは次の理由による。けんどん方式は、対向位置に対をなす押さえを切り起こし、展示物を基台に対し若干角度をつけて所定方向に移動させることにより一端側を一方の押さえに経過的に深く係合させ、しかる後、当該展示物を基台と平行に保って前記所定方向と逆方向に移動させることにより当該展示物の他端側を他方の押さえに係合させ、その際に一方の押さえとの係合が解除されないような関係に設定する構造である。しかし、このようなけんどん方式によると、前記所定位置にある展示物が前記所定方向と逆方向に移動すると、他方の押さえとの係合を解除するまで移動するため、保持領域内における遊びが必要以上に大きくなって、展示物にズレやガタつきを生じることが拭えない。これに対して、本実施形態のように構成すれば、保持領域Ｈ１３内における遊びを小さくすることができ、展示物Ｄのズレやガタつきも極力小さく抑えることが可能になる。
【００２６】
本実施形態の具体的な実施の態様として、第１の押さえ１は、切り起こした状態で展示物Ｄを基台Ｈ１に沿って所定方向に移動させることにより当該展示物Ｄの移動側に位置する第１縁部及び当該展示物Ｄの前面Ｄ５の所定部位に係合するアングル状のものであり、第２の押さえ２は、第１の押さえ１によって展示物Ｄが係合された位置で切り起こされることにより当該展示物Ｄの前記第１縁部と対向する第２縁部及び当該展示物Ｄの前面Ｄ５の所定部位に係合するアングル状のものである。
【００２７】
このようなものであると、第１の押さえ１及び第２の押さえ２の双方が、所定位置にある展示物Ｄに密着した状態で展示物Ｄに係合することになるため、展示物Ｄの保持領域Ｈ３内における遊びを極力最小限の状態に近づけることができる。
【００２８】
特に、本実施形態では展示物Ｄが矩形板状をなすものであって、第１の押さえ１が展示物Ｄの隣接する２つのコーナー部Ｄ１、Ｄ２において各々のコーナー部Ｄ１、Ｄ２の第１縁部に相当する直交２辺Ｄａをそれぞれ押さえるように構成され、第２の押さえ２が当該展示物Ｄの残り２つのコーナー部Ｄ３、Ｄ４において各々のコーナー部Ｄ３、Ｄ４の第２縁部に相当する直交２辺Ｄｂをそれぞれ押さえるように構成されている。
【００２９】
このようにすると、一方の対角線上にある２つのコーナー部Ｄ１、Ｄ４を押さえる第１の押さえ１及び第２の押さえ２と他方の対角線上にある２つのコーナー部Ｄ２、Ｄ３を押さえる第１の押さえ１及び第２の押さえ２とが展示物Ｄの両対角線方向の移動を規制する結果、展示物Ｄの上下左右の位置ずれを規制することとなり、展示物Ｄを確実に所定位置にがたつきなく保持することができる。そして、コーナー部Ｄ１、Ｄ２、Ｄ３、Ｄ４のみを保持する構造であるから、展示物Ｄの展示領域Ｈ１２をほとんど侵すこともない。
【００３０】
さらに、本実施形態に係る展示物Ｄの保持具Ｈは展示物Ｄを略鉛直姿勢で保持するものであって、第１の押さえ１が展示物Ｄの下縁側を支持し、第２の押さえ２が展示物Ｄの上縁側を支持するものであり、第１の押さえ１に比して第２の押さえ２を相対的に小さい形状のものにしている。
【００３１】
このため、負荷が比較的大きく掛かる第１の押さえ１に十分な強度を付与し、第２の押さえ２は展示物Ｄの位置ずれやガタつきを抑止できる範囲で極力小さいものにして、展示領域Ｈ１２を極力侵さずに目立たないものにすることができる。
【００３２】
本考案は、以上のような構成であるから、展示物Ｄが比較的厚みがあり且つさほど重さのない色紙である場合や、基台Ｈ１が常時ほぼ鉛直姿勢で飾られる掛け軸である場合等に適用して極めて有用なものとなり得る。
【００３３】
なお、各部の具体的構成は、上述した実施形態のみに限定されるものではなく、本考案の趣旨を逸脱しない範囲で種々変形が可能である。
【００３４】
例えば、押さえＨ２の強度を無理なく有効に高めるためには、図６に示すように基台Ｈ１から切り起こされる部位に補強紙３を貼着していることが有効である。このようにすれば、紙製であるという特質、簡易な構造であるという特徴を損なうことなく、強度向上を有効に実現することが可能となる。
【図面の簡単な説明】
【００３５】
【図１】本考案の一実施形態に係る展示物の保持具を展示物を保持した状態で示す斜視図。
【図２】同実施形態に係る押さえを切り起こした状態の基台を展示物を省略して示す斜視図。
【図３】図２に対応した要部拡大斜視図。
【図４】図３に対応して押さえを切り起こす前の基台を展示物を省略して示す要部拡大斜視図。
【図５】同実施形態に係る展示物の保持手順を示す基台の右側面図。
【図６】同実施形態に係る変形例を示す要部拡大斜視図。
【符号の説明】
【００３６】
Ｄ…展示物
Ｄ１、Ｄ２、Ｄ３、Ｄ４…コーナー部
Ｄ５…前面
Ｈ…展示物の保持具
Ｈ１…基台
Ｈ２…押さえ
Ｈ３…保持領域
１…第１の押さえ
２…第２の押さえ
【図１】
0003106253.tif 000003
【図２】
0003106253.tif 000004
【図３】
0003106253.tif 000005
【図４】
0003106253.tif 000006
【図５】
0003106253.tif 000007
【図６】
0003106253.tif 000008